(57)【特許請求の範囲】
【請求項１】
正面シート（２）と背面シート（３）とが対向してその間に収納部（４）が設けられている包装袋（１）であり、少なくとも袋上部（５）と袋下部（６）と一方の袋側部（７）とが、正面シート（２）と背面シート（３）とをヒートシールしてなるシール部（９）とされていて、前記収納部（４）には該収納部（４）から袋上部（５）に向けて延設された収納物注出路（１０）が連続し、その収納物注出路（１０）の上端部分が注出口形成予定部（１１）とされている包装袋（１）において、
前記注出口形成予定部（１１）を、前記一方の袋側部（７）とは反対となる袋上隅部側のみに設けて、
前記注出口形成予定部（１１）に連なる前記収納物注出路（１０）が、前記一方の袋側部（７）と反対の他方の袋側部（８）側に偏るように形成され、かつ、前記正面シート（２）と背面シート（３）とをヒートシールして前記一方の袋側部（７）と袋上部（５）とのシール部（９）に達して一体となる広面のシール部（９）であるシール薄板（１３）が形成されて、前記収納物注出路（１０）と前記シール薄板（１３）とが袋幅方向に並設され、
前記収納物注出路（１０）は、該収納物注出路（１０）と前記シール薄板（１３）とを横断して袋幅方向に亘る位置の折曲予定部（１４）での袋の折り曲げにより閉塞可能に設けられ、
前記シール薄板（１３）は、折曲予定部（１４）での袋の折り曲げ状態を維持する折曲維持手段（１６）を備え、
シール薄板（１３）での前記折曲予定部（１４）の位置に、シール薄板（１３）に対し非貫通のハーフカットとされた直線状の弱化線（２３）からなる折曲補助部（２２）が設けられていて、
前記折曲補助部（２２）のハーフカットにおける前記一方の袋側部（７）側の一端を、該一方の袋側部（７）の側縁に非到達の状態で近接させて、折曲補助部（２２）のハーフカットの前記一端と一方の袋側部（７）の前記側縁との間に難破断部（２６）が設けられており、
前記折曲維持手段（１６）は、シール薄板（１３）での一方の袋側部（７）側に配置されて、このシール薄板（１３）を折曲予定部（１４）で袋の折り曲げをしたときに相対する位置それぞれに設けられて互いに係合可能とされた対の係止部（１７）と係止部（１８）とからなるものとされて、前記係止部（１７）は、袋上部（５）の外縁に達するように入れられた切り込みでの一方の袋側部（７）の外縁に最も接近した位置とされ、前記係止部（１８）は、一方の袋側部（７）の側端縁に達するように入れられた切り込みでの一方の袋側部（７）の側端縁から最も離れた位置とされており、
係止部（１７）と係止部（１８）とが包装袋高さ方向に沿って縦並びして、折曲予定部（１４）に直交する直線（ａ）上に係止部（１７）と係止部（１８）とが位置し、
折曲補助部（２２）の前記ハーフカットが、前記直線（ａ）に対して交差し、折曲補助部（２２）の前記ハーフカットに連続している前記難破断部（２６）が、前記直線（ａ）に対して非交差となる部分であってこの直線（ａ）の位置より一方の袋側部（７）側に位置していて、この難破断部（２６）は、折曲予定部（１４）での収納物注出路（１０）側とは反対にして収納物注出路（１０）から袋幅方向に離間して設けられていることを特徴とする包装袋。
【請求項２】
上記折曲補助部（２２）は複数本の平行な弱化線（２３）から形成されていて、隣り合う弱化線（２３）の間隔は０．２ｍｍ〜２．０ｍｍの範囲とされている請求項１に記載の包装袋。
【請求項３】
上記弱化線（２３）は、シール薄板（１３）の正面シート（２）と背面シート（３）との少なくとも何れか一方のシート側からのレーザ照射加工により形成されているものである請求項１または２に記載の包装袋。
【請求項４】
上記弱化線（２３）は、上記折曲予定部（１４）が折り曲げられるときに山折りとなるシート薄板表面側からのレーザ照射加工により形成されているものである請求項１または２に記載の包装袋。
【請求項５】
上記弱化線（２３）は、上記折曲予定部（１４）が折り曲げられるときの山折り側となるシート薄板表面でのレーザ照射加工の切削幅が、シート薄板（１３）のヒートシール合わせ面側でのレーザ照射加工の切削幅より大とされている請求項３または４に記載の包装袋。
【発明の詳細な説明】
【技術分野】
【０００１】
本発明は、シャンプー、リンス、洗剤などのトイレタリー液体用品や、調味料、インスタントコーヒーなどの粉体状の食品などを収納するための包装袋であり、注出口を開封形成した後にも簡単に再封して収納物の漏れ出しを防止できるようにした包装袋に関するものである。
【背景技術】
【０００２】
従来から柔軟なシートを包材として用いた包装袋としては、背貼りされた胴部の袋上部と袋底部とをヒートシールしたピロー包装、シートを二つ折りして正面シートと背面シートとを重ね合わせて対向させ、シート折り曲げ辺とは反対側でヒートシールするとともに、袋上部と袋下部とをヒートシールした三方シール包装、別成形された正面シートと背面シートとを重ね合わせて対向させ、左右の袋側部、袋上部、袋下部との四辺の部分をヒートシールした四方シール包装などの各種のタイプがある。
【０００３】
これらの包装形態の包装袋の内、シャンプー、リンス、洗剤などの液体、調味料、インスタントコーヒーなどの粉体が充填包装され、使用に際しては袋の上部隅部などを切断して開き、その開いた注出口から収納物を注出する用途に、三方シールや四方シールをした包装袋がよく利用されている。そして、三方シールや四方シールして正面シートと背面シートとの間に収納部を形成した包装袋に対し、袋上隅部に開口した注出口から収納物全てを注出せずに収納部に幾分かの収納物を残した場合に、簡単に再封して収納物が漏れ出ないようにしたいとの要望があった。
【０００４】
このような要望に答える包装袋としては、例えば特許文献１に示されているように、袋上部に向けて凸の収納物注出路を通路幅一定のものとして形成して、これを袋側部側に偏倚させるとともに、その収納部注出路の側方に正面シートと背面シートとをヒートシールしたシール部であって面状の広がりのあるシール薄板を設けて、収納物注出路の部分と前記シート薄板とを袋幅方向に並び設けた包装袋がある。この包装袋では、収納物注出路の開封予定部のある先端側の部分と前記シール薄板との間が分離できるとともに、収納物注出路の側方の近傍にシール薄板の内にしてスリットが切り込まれている。
【０００５】
そして、収納物を注出するためには収納物注出路の先端側の部分を切り取って注出口を形成し、再封する場合には、収納物注出路の先端側をシール薄板と切り離した状態とし、その先端側の部分（注出口側の部分）を折り曲げながら上記スリットに挿入して掛け止めることで、収納物注出路が折り曲げの部分で閉塞されるようにして再封を行なうものであった。また、特許文献２、３にも同様に収納物注出路を折り曲げ、その収納物注出路の先端側の部分をスリットに通したり、掛け止めたりする工夫が示されている。
【０００６】
また、収納物注出路を袋側部に偏倚させた形態ではなく、袋上部に袋幅方向に亘って広く開口できる包装袋において、開封後の開口から収納物が漏れ出ないように袋上部側を折り曲げ、その折り曲げ状態が維持されるようにする工夫も提案されている。例えば特許文献４〜７に示されているように、袋側部のシール部を、袋折り曲げした際に対向する部分で互いに係合できるようにした構成が提案されている。
【０００７】
さらに、通常の形態である一辺開放の袋体の開閉機能を改善するために屈伸変形自在な線材を所要部分に組み付けて、ひねりや折り曲げなどをすることで閉鎖状態が前記線材の変形によって簡単に維持されて、閉鎖操作及び開放操作が容易となるようにした袋が、特許文献８に示されている。
【先行技術文献】
【特許文献】
【０００８】
【特許文献１】実願昭５９−１９３４９１号のマイクロフィルム（公開実用昭和６１−１０７７４１）
【特許文献２】特開平０５−１７８３５６号公報
【特許文献３】特開２００１−１５１２５０号公報
【特許文献４】実用新案登録第３００４０９０号公報
【特許文献５】特開２００６−１９９３３４号公報
【特許文献６】特開２００６−２４０６９１号公報
【特許文献７】特開２０１２−１４８７８４号公報
【特許文献８】実用新案登録第３０４７８０２号公報
【発明の概要】
【発明が解決しようとする課題】
【０００９】
上述の袋上部側を袋幅方向に全幅で切断して開口するタイプの包装袋では、開口された部分が袋の全幅に亘るので所望量の収納物を流し出す操作をすること自体が困難である。また、幅広の収納部をその全幅に亘って折り曲げて再封を図る構成であるために折り曲げ部分が長くなってしまい、その折り曲げ部分での閉塞度合いが弱くなり易いという欠点がある。
【００１０】
一方、上述した収納物注出路を有する包装袋では、まず第一に、収納物を出す開口の幅が定まって収納物を安定して出し易く、また所望量の収納物を出し易いことに大きな利点があり、所望量の収納物を流し出す用途の包装袋に適している。しかしながら、再封に際しては収納物注出路の部分自体を指先で直接持ってこれを折り曲げてスリットに差し込んで係合させることとなり、再封の操作が煩雑になるという問題があった。
【００１１】
屈伸変形自在な線材などを組み付けることで閉鎖維持も行なえるようにした袋の提案にあっても、屈伸変形自在な部材を袋体に融着させなければならず、袋の製造が煩雑になるという問題があるとともに、手加減次第では閉鎖部分の締まりが不確実になってしまうという問題もある。
【００１２】
本発明者にあっては、包装袋での収納物注出路のある部分を横断するように袋幅方向に亘る折曲予定部を設定し、この折曲予定部の位置で包装袋を折り曲げたときに相対するヒートシール部分それぞれに、該ヒートシール部分を切り欠いたり切り込んだりしてなる係止部を設け、その係止部同士を掛け止めるという簡単な操作で折曲予定部で包装袋が折り曲がって収容物注出路を閉鎖でき、また、係止部の係合の状態を外すこともその操作が簡単であることに着目した。
【００１３】
そして、係止部同士を係合させることで折り曲げられて、その折り曲げにより収納物注出路が閉じられている中身のある包装袋について、取り扱いの際の収納部に対する不用意な外力が加えられるときに、折れ曲がりの状態によっては、係止部が折れ曲がりを維持する程度に違いがあることを発見するに至った。
【００１４】
即ち、上記外力が加えられたとしても折曲予定部が適正に折曲されていて、収納物注出路での折れ曲がりが維持される（折れ曲がりによる収納物注出路の閉鎖が維持される）場合がある一方、折曲予定部が適正に折曲されていないために係止部の係合状態が不良となっていて、上記外力が加えられた際、収納物注出路での折れ曲がりが開き加減となって閉塞が甘くなったり、収納物注出路の折れ曲がり部分が開いて係止部同士の係合が外れてしまう場合がある。
【００１５】
これらは折曲予定部の位置で確実に折り曲げられなかったり、折曲予定部の位置を交差するようにして折れ位置が形成されたりしているものであり、これによって係止部同士が、上述のように折曲予定部に沿った方向においてズレた状態で係止し合ってしまい、その結果として折れ曲がりを維持する程度に違いが生じていた。
【００１６】
そこで、本発明は袋上部に至る収納物注出路とその収納物注出路に並設されて袋上部と袋側部のシール部に至る広面のシール薄板とを横断するように折曲予定部が設けられている包装袋において、折曲予定部で包装袋を折り曲げて係止部同士を掛け止め合わせた係合状態がより確実になるようにすることを課題とし、折られた包装袋を不用意な取り扱いをしても包装袋が折れた状態のままとなって収納物注出路の閉鎖が維持される包装袋を提供することを目的とするものである。
【課題を解決するための手段】
【００１７】
（請求項１の発明）
本発明は上記課題を考慮してなされたもので、正面シート（２）と背面シート（３）とが対向してその間に収納部（４）が設けられている包装袋（１）であり、少なくとも袋上部（５）と袋下部（６）と一方の袋側部（７）とが、正面シート（２）と背面シート（３）とをヒートシールしてなるシール部（９）とされていて、前記収納部（４）には該収納部（４）から袋上部（５）に向けて延設された収納物注出路（１０）が連続し、その収納物注出路（１０）の上端部分が注出口形成予定部（１１）とされている包装袋（１）において、
前記注出口形成予定部（１１）を、前記一方の袋側部（７）とは反対となる袋上隅部側のみに設けて、
前記注出口形成予定部（１１）に連なる前記収納物注出路（１０）が、前記一方の袋側部（７）と反対の他方の袋側部（８）側に偏るように形成され、かつ、前記正面シート（２）と背面シート（３）とをヒートシールして前記一方の袋側部（７）と袋上部（５）とのシール部（９）に達して一体となる広面のシール部（９）であるシール薄板（１３）が形成されて、前記収納物注出路（１０）と前記シール薄板（１３）とが袋幅方向に並設され、
前記収納物注出路（１０）は、該収納物注出路（１０）と前記シール薄板（１３）とを横断して袋幅方向に亘る位置の折曲予定部（１４）での袋の折り曲げにより閉塞可能に設けられ、
前記シール薄板（１３）は、折曲予定部（１４）での袋の折り曲げ状態を維持する折曲維持手段（１６）を備え、
シール薄板（１３）での前記折曲予定部（１４）の位置に、シール薄板（１３）に対し非貫通のハーフカットとされた直線状の弱化線（２３）からなる折曲補助部（２２）が設けられていて、
前記折曲補助部（２２）のハーフカットにおける前記一方の袋側部（７）側の一端を、該一方の袋側部（７）の側縁に非到達の状態で近接させて、折曲補助部（２２）のハーフカットの前記一端と一方の袋側部（７）の前記側縁との間に難破断部（２６）が設けられており、
前記折曲維持手段（１６）は、シール薄板（１３）での一方の袋側部（７）側に配置されて、このシール薄板（１３）を折曲予定部（１４）で袋の折り曲げをしたときに相対する位置それぞれに設けられて互いに係合可能とされた対の係止部（１７）と係止部（１８）とからなるものとされて、前記係止部（１７）は、袋上部（５）の外縁に達するように入れられた切り込みでの一方の袋側部（７）の外縁に最も接近した位置とされ、前記係止部（１８）は、一方の袋側部（７）の側端縁に達するように入れられた切り込みでの一方の袋側部（７）の側端縁から最も離れた位置とされており、
係止部（１７）と係止部（１８）とが包装袋高さ方向に沿って縦並びして、折曲予定部（１４）に直交する直線（ａ）上に係止部（１７）と係止部（１８）とが位置し、
折曲補助部（２２）の前記ハーフカットが、前記直線（ａ）に対して交差し、折曲補助部（２２）の前記ハーフカットに連続している前記難破断部（２６）が、前記直線（ａ）に対して非交差となる部分であってこの直線（ａ）の位置より一方の袋側部（７）側に位置していて、この難破断部（２６）は、折曲予定部（１４）での収納物注出路（１０）側とは反対にして収納物注出路（１０）から袋幅方向に離間して設けられていることを特徴とする包装袋を提供して、上記課題を解消するものである。
【００１８】
（請求項２の発明）
そして、本発明において、上記折曲補助部（２２）は複数本の平行な弱化線（２３）から形成されていて、隣り合う弱化線（２３）の間隔は０．２ｍｍ〜２．０ｍｍの範囲とされていることが可能である。
【００１９】
（請求項３の発明）
また、本発明において、上記弱化線（２３）は、シール薄板（１３）の正面シート（２）と背面シート（３）との少なくとも何れか一方のシート側からのレーザ照射加工により形成されているものとすることが可能である。
【００２０】
（請求項４の発明）
また、本発明において、上記弱化線（２３）は、上記折曲予定部（１４）が折り曲げられるときに山折りとなるシート薄板表面側からのレーザ照射加工により形成されているものとすることが可能である。
【００２１】
（請求項５の発明）
また、本発明において、上記弱化線（２３）は、上記折曲予定部（１４）が折り曲げられるときの山折り側となるシート薄板表面でのレーザ照射加工の切削幅が、シート薄板（１３）のヒートシール合わせ面側でのレーザ照射加工の切削幅より大とされていることが良好である。
【発明の効果】
【００２２】
（請求項１の発明の効果）
請求項１の発明によれば、シール薄板での折曲予定部の位置に、ハーフカットとされた直線状の弱化線からなる折曲補助部が設けられているので、シール薄板の部分での折曲予定部が折れ曲がり易く、その折り曲げが簡単に適正なものとなる。そして、折曲維持手段の構成も、切り込み形成して係合し合う係止片などのような簡易なものとしても、折曲予定部の位置を簡単に折り曲げてその折曲維持手段を適正に働かせることができるようになる。さらにシール薄板における前記折曲維持手段が適正に働いて折曲予定部全体の折り曲げも維持されることとなり、収納物注出路が閉塞される状態が得られる。
【００２３】
よって、中身のある収納部に対して不用意な取り扱いをし、正面シートと背面シートとの対面方向で外力（過大な力ではなく、不用意な取り扱いで生じる程度の力）が加わって収納物の内圧が上がる場合でも、収納物注出路が折曲予定部の位置で折れて閉鎖されているので、折れにより形成された閉鎖部分で収納物の動きを止めることができる。そのため、折曲維持手段が外れて収納物注出路の部分で折れ部分が開いて収納物注出路から収納物が漏れ出るということが生じない。
【００２４】
（請求項２の発明の効果）
請求項２の発明によれば、折曲補助部を複数本の平行な弱化線から形成し、隣り合う弱化線の間隔を０．２ｍｍ〜２．０ｍｍの範囲とされているので、包装袋の折曲予定部の部分から折り曲げる操作をするときに、この折曲予定部の位置に沿ってより一層確実に折れ曲がりを生じさせることができるようになる。
【００２５】
（請求項３の発明の効果）
請求項３の発明によれば、弱化線は、シール薄板の正面シートと背面シートとの少なくとも何れか一方のシート側からのレーザ照射加工により形成されているものとしているので、包装袋の折曲予定部の部分から折り曲げる操作をするときに、この折曲予定部の位置に沿ってより一層確実に折れ曲がりを生じさせることができるようになる。
【００２６】
（請求項４の発明の効果）
請求項４の発明によれば、弱化線は、折曲予定部が折り曲げられるときに山折りとなるシート薄板表面側からのレーザ照射加工により形成されているものとしているので、包装袋の折曲予定部の部分から折り曲げる操作をするときに、この折曲予定部の位置に沿ってより一層確実に折れ曲がりを生じさせることができるようになる。
【００２７】
（請求項５の発明の効果）
請求項５の発明によれば、弱化線は、折曲予定部が折り曲げられるときの山折り側となるシート薄板表面でのレーザ照射加工の切削幅が、シート薄板のヒートシール合わせ面側でのレーザ照射加工の切削幅より大とされているので、包装袋の折曲予定部の部分から折り曲げる操作をするときに、この折曲予定部の位置に沿ってより一層確実に折れ曲がりを生じさせることができるようになる。
【図面の簡単な説明】
【００２８】
【図１】本発明に係る包装袋の実施の例を示す説明図である。
【図２】実施の例において開封して係合部を係合させて袋上部を折り曲げた状態を示す説明図である。
【図３】実施の例における弱化線の形成部分を断面で示す説明図である。
【発明を実施するための形態】
【００２９】
つぎに本発明を図１から図３に示す実施の形態に基づいて詳細に説明する。図中１は包装袋で、該包装袋１は正面シート２と背面シート３とが対向してその間に収納部４を設けて、袋上部５と袋下部６と左右の袋側部７、８とがある矩形形状を有している。そして袋上部５と袋下部６と左の袋側部７にシール部９を設けて、この上下左のシール部９と右の袋側部８を構成している折り部分とで収納部４が囲まれている三方シール形態の袋である。
【００３０】
具体的にはこの実施の例での包装袋１の場合、一枚のシートを二つ折りにして重ね合わせることで正面シート２と背面シート３とが対向した状態で得られるようにしており、その二つ折りの状態で袋上部側、袋下部側、左袋側部側をヒートシールして三方のシール部９が形成され、正面シート２を正面にして見る際の正面視での全体形状を縦長の長方形としている。（図１）
【００３１】
（包装袋の製造）
包装袋１の製造に際しては、例えば、ロール体などから引き出された一本の帯状シートを二つ折りして縦にして下方に送り出し、帯状シートでの包装袋の一袋分ごとに、充填口とする部分を残した状態でその一袋分の二方の部分（例えば、袋上部、折り部分と反対側の袋側部）をヒートシールした連続体とする。前記ヒートシールに適するように正面シート２と背面シート３とは基材とシーラント層とを少なくとも有する積層体のフィルムからなるものであり、シーラント層同士を対面させて重ね合わされてヒートシールを行なう。
【００３２】
そして、縦で下方に移動する連続体での一袋ごとの充填口（例えば袋下部５のシール部９となる部分）に上方からノズルを差し入れて収納部に液体や粉体などを充填し、その充填が終了すれば充填口の部分をヒートシールして収納部を閉じ、連続状態での袋と袋との間を切断し、これによって収納部それぞれに定量の収納物が充填された包装袋が一袋ごとにして得られる。このヒートシールによって後述のように収納物を注出する注出路を備える収納部が形成され、また収納袋のヒートシールされた部分に切り込みや切り落としなどをすることで、後述の係合を行なえるようにした部分が形成できる。なお、包装袋の製造は前述の方法に限定されるものではなく、既知の方法が採用できるものである。
【００３３】
（収納物注出路）
包装袋１は収納物注出路１０を有している。この収納物注出路１０は収納部４に連続していて、この収納部４から袋上部５に向けて延設されたものである。図示されているように前記収納物注出路１０は収納部４の上部を上方に延設しながら上方に向けて凸の略尖頭形状にして先細りされ、かつ上記他方の袋側部８側に偏倚しており、正面視の状態で略三角形に形成している。さらに、その収納物注出路１０の上端部分は注出口形成予定部１１としている。このように前記注出口形成予定部１１は、他方の袋側部８側である袋上隅部側のみに設けられている。
【００３４】
上記注出口形成予定部１１は収納物注出路１０の先端部分をその先端部分に近接するシール部９と一緒に除去することで注出口を得る部分であり、包装袋を開封する使用者が目視にて切断の位置の確認を行ない易いように、注出口形成予定部１１については収納物注出路１０の先端部分を袋幅方向に横切る印刷指示線などとして示されている。また、この注出口形成予定部１１については手操作での切断が行ない易いように、正面シート２と背面シート３との表面側、或いは一方のシートの表面側にレーザ照射によるハーフカットを施すことも可能である。
【００３５】
実施の例では、上記収納物注出路１０の一方の袋側部７側のシール境界部分１２を傾斜した直線状にしている。よって、収納物注出路１０は、一方の袋側部７側の傾斜したシール境界部分と他方の袋側部８側の縦の折り部分とを両側とした通路として形成される。そして、前記直線状のシール境界部分１２を間にして収納物注出路１０の一方の袋側部７側となる側方には、収納部４の左の側辺のシール部９や袋下部６のシール部９より幅広とされた広面のシール部９がある。
【００３６】
（シール薄板）
この幅広で広面のシール部９は、勿論正面シート２と背面シート３とをヒートシールしてなる部分であり、面としての広がりがある板状のシール薄板１３を形成している。図１に示されているように収納物注出路１０と幅広で広面板状のシール薄板１３とは袋幅方向に並び設けられており、その正面視での形状は収納物注出路１０とは逆向きの三角形状にし、三角形状で上方に凸の略尖頭形状にした収納物注出路１０の部分とこのシール薄板１３の部分とを袋幅方向に並設するレイアウトにすることで、包装袋１全体が長方形状に収まるようにしている。
【００３７】
（折曲予定部）
上述したように袋上部５側において袋幅方向に並ぶ位置関係とした収納物注出路１０とシール部９のシール薄板１３とには、袋幅方向に亘る折曲予定部１４が設けられている。前記折曲予定部１４は、袋上部５を下方に向けて折り曲げる部分であり、この例では、収納物注出路１０の範囲を横断する部分とシール部９のシール薄板１３の範囲を横断する部分とでほぼ同様の長さになるように収納物注出路１０の袋高さ方向での略中央部分を通る高さ位置に設定されている。
【００３８】
上記折曲予定部１４は直線状にしていて、この折曲予定部１４の位置で袋上部５を折り曲げることにより、収納物注出路１０での正面シート２と背面シート３との内面同士がその袋の折り曲げをした部分で密に接触し合って、袋の折り曲げをした部分で収納物注出路１０を閉塞するように設けられている。前記折曲予定部１４の位置に印刷指示線を設けることが可能であり、そのようにすれば袋の折り曲げをする位置を確認し易くなって良好である。
【００３９】
なお、折曲予定部１４は図において一点鎖線の直線として示しているが、袋の折り曲げで収納物注出路１０が閉塞すればよいものであり、収納物注出路１０でのこの折曲予定部１４の位置で縦断面形状で小さな円弧が形成できる程度に曲げ折りされていれば、正面シート２と背面シート３とが比較的密に接することとなり、充填済みの包装袋を通常に取り扱う範囲では、収納物が折り曲げられた部分を通過することはないものである。
【００４０】
そのため、折り曲げられた収納物注出路１０での折曲予定部１４は、その断面が鋭く切り立つ断面形状になる必要は特にない。この例は袋の折曲予定部１４の位置で折り曲げをすることで、収納物注出路１０における折曲予定部１４での折り曲げ部分の断面は小さな円弧を呈した状態となるものであり、この状態で収納物注出路１０が閉塞されるようになるものである。
【００４１】
なお、収納物注出路１０における折曲予定部１４の部分は、後述のシール薄板１３における折曲予定部１４で折り曲げられたときにその折り曲げに伴なって一緒に折り曲げられるものであり、シール薄板１３側での折り曲げに伴なった収納物注出路での折り曲げであっても、その収納物注出路１０は十分に閉塞されるものである。
【００４２】
（折曲維持手段）
上記シール薄板１３には折曲予定部１４での袋の折り曲げ状態を維持するための折曲維持手段１６が設けられている。図１に示されているように前記折曲維持手段１６は、シール薄板１３での一方の袋側部７側に配置されて、このシール薄板１３を折曲予定部１４で袋の折り曲げをしたときに相対する位置それぞれに設けられた対の係止部１７、１８からなるものであり、この係止部１７と係止部１８とは互いに係合可能に設けられているものである。
【００４３】
（係止部）
図１に示すように係止部１７は、袋上部５の外縁（袋の上端縁）に達するように入れられた切り込みにより切り込み形成された舌片における基端縁である。この係止部１７を形成するための切り込みの先端は、裂け止めを行なうために係止片の基端部分で弧状にして延長されているが、係止部１７の部分が一方の袋側部７（左の袋側部）の外縁に最も接近した位置である。なお、前記切り込みの先端を延長して他方の袋側部８（右の袋側部）側に向けるようにして裂け止めの処理を施している。この裂け止めの処理は必ずしも必要とされるものではない。また、裂け止め処理はシート貫通の小孔とすることも可能である。
【００４４】
また、他方の係止部１８はシール薄板１３の下部部分であって一方の袋側部７の側端縁に達するように入れられた切り込みにより舌片を得るようにして形成された切り込み凹所である。この係止部１８を形成するための切り込みの先端は、裂け止めを行なうために切り込み凹所を弧状にするようにして袋上部５側に向けて延長されているが、係止部１８の部分が一方の袋側部７の外縁から最も離れた位置である。この部分の切り込みにおいても先端を延長して袋上部側に向けるようにして裂け止めの処理を施している。この裂け止めの処理も必ずしも必要とされるものではなく、そしてその裂け止め処理がシート貫通の小孔としてもよい。
【００４５】
袋の折り曲げを行なって係止部１７、１８を係合させ合うことで袋の折曲状態が維持され、これによって収納物注出路１０の閉塞状態が維持される。また、係止部１７と係止部１８との係合関係を解けば、正面シート２と背面シート３との袋折り曲げ部分で生じていた復元力により袋上部５が起き上がるようになり、収納物注出路１０が閉塞しない状態となる。
【００４６】
（注出口開封）
包装袋１では、収納物注出路１０から収納物を注出する注出口の形成を行ない易くする工夫が設けられている。即ち、収納物注出路１０の先端部分にある注出口形成予定部１１の位置に沿った切断を手操作で行ない易くする工夫が施されている。まず、袋上部５の中央に、袋上部上端縁から下方に延びてから上記シール境界部分１２の近くに沿うように屈曲した不連続なスリットからなる縦切り込み線部１９がある。また、この縦切り込み線部１９に連続し、前記シール境界部分１２に平行にして注出口形成予定部１１の端部に達するように入れられたスリットからなる傾斜切り取り線部２０がある。
【００４７】
そして、上記縦切り取り線部１９から上記傾斜切り込み線部２０に亘って繋ぎ部分（スリットとスリットとの間）を切って形成される舌片状の部分を摘み持ちながら袋幅方向に他方の袋側部８側に向けて引っ張るようにすることで、注出口形成予定部１１が引き裂かれて注出口２１が簡単に形成される。（図２参照）
【００４８】
上述のようにして開封した収納物注出路１０を閉じるには、図２に示すように折曲予定部１４の位置から袋を折り曲げ、折曲維持手段１６である係止部１７と係止部１８とを係合させればよく、収納物注出路１０の閉塞を行なう操作も頗る簡単なものとなる。特に、折曲維持手段１６の係止部１７の部分が注出口と袋幅方向において離間配置された位置関係であり、そのため係止部１７の部分を持った折り曲げや掛け止めの操作を行なうので、注出口周りに残渣として付着した収納物が指先を汚すということを防止する。
【００４９】
（折曲補助部）
本包装袋１では、折り曲げ操作に対して抵抗を少なくしてその折り曲げ操作が簡単に行なえるように、さらにはシート薄板１３での折曲予定部１４の位置に対し、折られた部分の位置がずれたり交差したりせずに前記折曲予定部１４の位置で適正に折ることができるようにした工夫が施されている。
【００５０】
その工夫は折曲予定部１４の位置を折り曲げ易くするものであって、具体的には折曲補助部２２が設けられている。前記折曲補助部２２は、シール薄板１３上の範囲にして、かつシール境界部分１２側の端部２３がこのシール境界部分１２の位置に達せずに近接した状態とされ、シール薄板１３の表裏面（正面シートと背面シートの外面）の少なくとも何れか一方の面に入れられたハーフカットからなる直線状の弱化線２３からなるものである。
【００５１】
折曲補助部２２では、上述したようにシール境界部分側の端部２４をシール境界部分１２の位置に達せずに近接した状態としているとともに、一方の袋側部７側の端部２５についても、この一方の袋側部７の側縁には達せずに近接した状態としている。そして、折曲補助部２２の前記端部２５とこの一方の袋側辺部７の側縁との間に、ハーフカットの弱化処理を施さない非処理部分とした難破断部２６が設けられていて、図１に示すようにこの難破断部２６は、折曲予定部１４での収納物注出路１０側とは反対にして収納物注出路１０から袋幅方向に離間して設けられている。
【００５２】
折り曲げが繰り返された場合に折曲予定部１４の高さ位置でシート薄板１３に割れが生じる可能性がわずかながらあるが、上記難破断部２６は、その割れが一方の袋側辺部７の側縁に達しないようにしている。また、難破断部２６は誤った取り扱いによる裂き操作で一方の袋側部７の側縁から折曲補助部２２に裂けが入り込まないようにもしている部分でもある。
【００５３】
折曲補助部２２は一本または複数本の直線状の弱化線２３からなるものであり、図示の実施の例にあっては複数本の弱化線２３が平行で、且つ近接状態にして配置している。複数本の弱化線２３を近接状態にして配置させるに際しては隣り合う弱化線２３の間隔を０．２〜２．０ｍｍの範囲とすることが好ましい。
【００５５】
また、上記弱化線２３はシール薄板１３の正面シート２と背面シート３との少なくとも何れか一方のシート側からのレーザ照射加工により形成してもよく、レーザ照射によりミシン目ごとくの不連続線形態、または連続線形態にしてシート薄板１３を貫通しないハーフカットが利用できるものである。弱化線２３をレーザ照射によるハーフカットとするには、不連続形態や連続線形態のいずれでも、折曲予定部１４が折り曲げられるときに山折りとなるシート薄板表面側からのレーザ照射加工により形成されているものとすることが良好である。
【００５６】
図示の実施の例の折曲補助部２２にあってはレーザ照射によるハーフカットにて一本の弱化線２３を形成していて、シート薄板１３を貫通せずに不連続線形態としたハーフカットとし、上述のように折曲予定部１４が折り曲げられるときに山折りとなるシート薄板表面側からのレーザ照射加工によるものであり、カットを１ｍｍ、つなぎ（カットとカットの間）を２ｍｍとしている。
【００５７】
上記弱化線２３の断面形状では、図３に示すように折曲予定部１４が折り曲げられるときの山折り側となるシート薄板表面でのレーザ照射加工の切削幅Ｘ１が、シート薄板のヒートシール合わせ面側でのレーザ照射加工の切削幅Ｘ２より大としている。このようにシート薄板表面でのレーザ照射加工の切削幅をヒートシール合わせ面側でのレーザ照射加工の切削幅より大きくすることでも、シール薄板１３における折曲予定部１４の折り曲げがより簡単になる。よって、折曲維持手段１６を係合させた状態での折り曲げの位置がこの折曲予定部１４の位置からずれることがなく、シール薄板１３の折曲予定部１４の位置での折り曲げに連れて収納物注出路１０での折曲予定部１４の部分も適正に折り曲がり、従って収納物注出路１０が確実に閉鎖されることとなる。
【００５８】
なお、収納物注出路１０の部分については、折曲予定部１４の位置に沿ってエンボスや、正面シートと背面シートの外面にレーザ照射にて入れられたハーフカットを設けるようにすることも可能であり、このようにすればシート薄板１３の折曲予定部１４の位置側から行なわれる折り曲げに伴なう折り曲げがこの収納物注出路１０における折曲予定部１４の位置で一層適切に生じ易くなる。
【００５９】
上述したように本実施の例の包装袋１では、シール薄板１３の範囲で折曲予定部１４に折曲補助部２２を設けることで、前記折曲予定部１４の位置で袋の折り曲げを行なった際には、その袋の折り曲げの部分がシール薄板１３での折曲予定部１４に重なり、これに連れて収納物注出路１０側での折曲予定部１４の位置に沿っても折り曲げが生じるので、折り曲げの操作を容易にして収納物注出路１０での閉塞を確実にする。
【００６０】
（係止部の位置）
折曲維持手段１６では、上記係止部１７、１８が、上記折曲補助部２２が重なるシール薄板１３での折曲予定部１４を中心にして対称となる位置にあり、図示されているように係止部１７と係止部１８とが折曲予定部１４に直交する同一直線上に設けられていて、この係止部１７と係止部１８とが位置する直線の方向、即ち、係止部１７と係止部１８との縦の並びは包装袋１の高さ方向に沿っている。図１において折曲予定部１４から下の係止部１８を通る垂線とその垂線の袋上部側への延長線を直線ａとして表わしており、この直線ａ上に上の係止部１７と下の係止部１８が位置している。また、図１に示されているように、折曲補助部２２のハーフカットが前記直線ａに対して交差する配置となり、そして折曲補助部２２の前記ハーフカットに連続している上記難破断部２６は直線ａに対して非交差となる部分であり、この直線ａの位置より一方の袋側部７側に位置した配置とされている。
【００６１】
シール薄板１３が折曲予定部１４の位置で折り曲がるように上記係止部１７と係止部１８とを相対させて係合させることで、図２に示すように折曲予定部１４の位置で包装袋１が折り曲がった状態が維持される。特にこの包装袋１の折曲予定部１４での折り曲げに際して前記係止部１７と係止部１８とを係合させれば、シール薄板１３での折曲予定部１４の折り曲がりは上記折曲補助部２２があることから鋭く切り立つ状態で簡単に折り曲がるようになり、そしてそのことから係止部１７と係止部１８との互いの係合状態も適正となり、不用意な取り扱いでは両者の係合が解けないものとなる。
【００６２】
（シート材料）
上記実施の例は、一枚の帯状シートを他方の袋側部となる部分で折り合わせてヒートシールし、所要の切り込み加工及び切断加工を行なって製造しているものであるが、この包装袋１を得るに際しては、正面シートとする帯状シートと背面シートとする帯状シートとの二枚のシートを重ね合わせてヒートシールし、所要の切り込み加工及び切断加工を行なって製造してもよいものである。
【００６３】
包装袋の正面シートと背面シートにはバリア性を有するシートを採用することができ、そのようにすることで包装袋１は収納物変質防止機能を備えるものとなる。また、正面シートと背面シートとは、合成樹脂製の基材の層の少なくとも片面に、金属又は無機酸化物或いはそれらの混合物である蒸着薄膜層、水溶性高分子と一種以上のアルコキシド又は／及びその加水分解物又は塩化錫の少なくとも一つを含む水溶液、或いは水／アルコール混合溶液を主剤とするコーティング剤からなる被膜層を用いてなるシートとすることも良好である。このようなシートを採用して包装袋を製造すれば、ガスバリア性に優れた包装袋とすることができる。
【００６４】
具体的なシートの例としては、ＧＬ−ＡＥＣＦフィルム１２μｍ（凸版印刷製）／ＬＬＤＰＥ４０μｍ（三井化学東セロ製）の積層体がある。
【００６５】
上記積層体の作製はつぎのようにして行なえる。基材として、厚さ１２μｍの二軸延伸ポリエチレンテレフタレート（ＰＥＴ）フィルムの片面に、プライマー層として、２−（エポキシシクロヘキシル）エチルトリメチルシラン（以下ＥＥＴＭＳと略す）とアクリルポリオールをＥＥＴＭＳに対し、重量比で５．０倍量取り混合し、さらに触媒として塩化錫（ＳｎＣｌ２）／メタノール溶液（０．００３ｍｏｌ／ｇに調液したもの）をＥＥＴＭＳに対し１／１３５ｍｏｌになるように添加し攪拌して、ついでイソシアネート化合物としてトリイジルイソシアネート（以下ＴＤＩと略す）をアクリルポリオールのＯＨ基に対しＮＣＯ基が等量となるように加えた混合溶液をグラビアコート法により乾燥後厚さが０．２μｍになるように形成する。
【００６６】
次いで、プライマー層上に電子線加熱方式による真空蒸着装置により、金属アルミニウムを蒸発させそこに酸素ガスを導入し、厚さ２０ｎｍの酸化アルミニウムを蒸着して無機酸化物からなる蒸着薄膜層を形成したガスバリア積層フィルム（ＧＬ−ＡＥＣＦフィルム）を作製する。そのガスバリア積層フィルムの表面に、直鎖状低密度ポリエチレン（ＬＬＤＰＥ）樹脂層からなる厚さ４０μｍのシーラントフィルムを貼り合せて積層体を完成できる。
【００６７】
また、包装袋の正面シートと背面シートとは、それぞれ層構成中にアルミニウム箔層を有する積層シートを採用することができ、そのようにすることで包装袋１は遮光性に優れた包装袋となり、これによって光透過を抑えて収納物の変質を防止する機能を有するようになる。
【００６８】
（包装袋の引っ掛け耐性）
つぎに上記実施の例のように上記折曲予定部に折曲補助部としてレーザ照射のハーフカットからなる一本の弱化線が設けられている包装袋と、折曲予定部に折曲補助部が設けられていない包装袋とにおいて、上下の係止部を係合させて収納物注出路を折り曲げにより閉鎖させた状態とし、収納部の部分に荷重を加えることで、係止部相互の引っ掛け耐性（係合の度合い）を、下記に示す実験を行なって検討した。
【００６９】
実験１により比較検討を行なうための本発明を実施した実施例１〜４の包装袋と比較例の包装袋は、上述した実施の例と同じようにシート二つ折りの三方シールの包装袋を作成した。各包装袋の外形寸法は幅７５ｍｍ×高さ１５０ｍｍとした。また、収納部、シール部、収納物注出路、注出口形成予定部、シール薄板、折曲予定部は実施例１〜４、比較例ともに同じとした。折曲維持手段の両係止部の位置についても上述した実施の例と同じく折曲予定部から下の係止部への垂線の延長線上に上の係止部が揃うものとしている。折曲予定部は袋上端縁から袋下部に向けて３０ｍｍの位置に設定した。
【００７０】
実施例１〜４、及び比較例のシートとしては、上述したＧＬ−ＡＥＣＦフィルム１２μｍ（凸版印刷製）／ＬＬＤＰＥ４０μｍ（三井化学東セロ製）の積層体を用いた。
【００７１】
実験１の実験方法は、係止部相互の引っ掛け耐性を判断するに際して、係止部同士を係合させた状態での袋折り返しが上側となるようにして平面上に包装袋を平置きした。７５ｍｍ×７５ｍｍ×２１ｍｍの平板（１２９．７６ｇ）を充填済みの収納部の上に平置きし、その平板の中央をプッシュプルゲージにて鉛直方向に力を加え、係止部が外れたときの引っ掛け耐圧をプッシュプルゲージで測定された数値とした。プッシュプルゲージは株式会社イマダ製  ＺＴＡ−ＤＰＵ（ｍａｘ  ５ｋｇｆ）を用いた。各包装袋が未開封の状態にて測定した。
【００７２】
実施例、比較例１〜７それぞれにおいて試験体数Ｎは３であり、それぞれ７回測定した。本包装袋の使用用途としてヘアコンディショナーを収納してなる袋商品を想定し、収納物はヘアコンディショナーとした。ミディアムヘアの使用者がヘアコンディショナーの一回当たりに使用する量を平均６ｇ（ポンプタイプの収納容器における押し下げ二回分の吐出量に相当）と想定し、各包装袋の収納量を約４０ｇとした。即ち、袋商品での内容量が４０ｇ前後とし、約七回分で使い切ると考えたからである。
【００７３】
実施例１〜４において、折曲補助部でのレーザ照射による一本の弱化線は破線であり、カットの長さとつなぎの長さとを表１に示した。また、レーザ照射の加工に用いた装置は、パナソニックデバイスＳＵＮＸ株式会社製  ＬＰ−４３０Ｕ  ＣＯ２ＬＡＳＥＲ  ＭＡＲＫＥＲであり、レーザ照射での描線を実施例と比較例の各包装袋における上記折曲補助部としている箇所に配置した。スキャンスピードは３０００ｍｍ／秒、レーザパワーは７０％（装置最大パワーに対して）とした。上記一方の袋側部の側縁から袋幅方向に２ｍｍ入った位置までを難破断部として確保し、その２ｍｍ入った位置からシール薄板が形成されている範囲の長さ２８ｍｍ内に収まるようにレーザ照射した。
【００７４】
【表１】
0006413414.tif 000002
【００７５】
実施例１〜４、及び比較例での引っ掛け耐圧を各試験体にて測定し、実施例、比較例において試験体三体の平均を測定値として、実験結果を以下の表２に示した。
【００７６】
【表２】
0006413414.tif 000003
【００７７】
（実験１のまとめ）
表２に示されているようにシール薄板の折曲予定部に折曲補助部を設けない包装袋（比較例）に対し、シール薄板の折曲予定部に折曲補助部を設けた包装袋（実施例１〜４）の方が引っ掛け耐圧が良好であることが明らかとなった。よって、シール薄板の折曲予定部に折曲補助部を設けることが、再封後でも折曲維持手段の係止部が不用意には外れないようにして、収納物注出路を折り曲げることによって閉塞状態を得る上で頗る有効であると判断できる。
【００７８】
（折り曲げ性評価実験）
つぎに実験２として、シート薄板における折曲予定部の位置に重なるようにしてレーザ照射した折曲補助部に関し、各種形態の折曲補助部を有する包装袋を作製して折り曲げ性を評価（官能評価）した。この実験の主目的とするところは、折曲予定部に重なるようにしてレーザ照射による弱化線を一本入れる場合と複数本入れる場合とで引っ掛け易さや折り曲げ易さがどのように変化するかを確認することであった。
【００７９】
レーザ照射して折曲補助部を形成するに際して変化させた項目としては、弱化線の線種、長さ、本数、間隔であり、それぞれの項目で変化させた点は以下の通りである。
【００８０】
弱化線の線種：直線、破線
弱化線の長さ（直線の場合）：２８ｍｍ、７０ｍｍ
（破線の場合の包装袋サンプルは全てカット３ｍｍ、つなぎ２ｍｍとした）
弱化線の本数：１、２、３、４、５
弱化線の間隔：０．１ｍｍ、０．３ｍｍ、０．５ｍｍ、１ｍｍ、２ｍｍ
【００８１】
弱化線の長さ２８ｍｍとする点は、上記実験１の場合で示されているように、包装袋における一方の袋側部の側縁から袋幅方向に２ｍｍ入った位置までを難破断部として確保し、その２ｍｍ入った位置から袋幅方向にシール薄板が形成されている範囲内で長さ２８ｍｍの弱化線としたものである。
また、弱化線の長さ７０ｍｍとする点は、包装袋における一方の袋側部の側縁から袋幅方向に２ｍｍ入った位置までを難破断部として確保し、その２ｍｍ入った位置から袋幅方向に長さ７０ｍｍの弱化線としたものであり、実施の例での収納物注出路での折曲予定部にも重なるように弱化線を形成したものである。なお、折り部とされている袋側部には弱化線を到達させてはいない。
また、破線は、一方の袋側部の側縁から袋幅方向に２ｍｍ入った位置までを難破断部として確保し、その２ｍｍ入った位置からシール薄板が形成されている範囲の長さ２８ｍｍ内に収まるものとした。
【００８２】
レーザ照射の加工に用いた装置は、実験１の場合と同じパナソニックデバイスＳＵＮＸ株式会社製  ＬＰ−４３０Ｕ  ＣＯ２ＬＡＳＥＲ  ＭＡＲＫＥＲである。レーザ照射での描線を各包装袋における折曲予定部に配置した。スキャンスピードは２０００ｍｍ／秒、レーザパワーは６０％（装置最大パワーに対して）とした。
【００８３】
（評価結果）
（弱化線が直線２８ｍｍの場合）
・本数や間隔を変化させても、折り曲げ易さが良好である点や折曲維持手段の係止部相互の引っ掛け易さが良好である点には変化はなかった。
・折り返した袋上部での収納物注出路側でやや浮いている状態となった包装袋サンプルがあったが、全ての包装袋サンプルにおいて、再封操作となる複数回の係止部相互の引っ掛けが行なえ、引っ掛け易さが良好である点に変化はなかった。
・弱化線の間隔を２ｍｍとした包装袋サンプルの場合、二箇所で鋭角な折れを生じさせて折曲維持手段の係止部の係合が外れる包装袋サンプルが見られた。よって、弱化線の間隔は２ｍｍが最大側の限度と判断される。
【００８４】
（弱化線が直線７０ｍｍの場合）
・弱化線の間隔を２ｍｍとした包装袋サンプルの場合、二箇所で鋭角な折れを生じさせて折曲維持手段の係止部の係合が外れる包装袋サンプルが見られた。よって、弱化線の間隔は２ｍｍが最大側の限度と判断される。
・弱化線を直線２８ｍｍとした包装袋サンプルよりも折り易く引っ掛け易いものであった。
【００８５】
（破線の場合）
・折り返した袋上部での収納物注出路側でやや浮いている状態となった包装袋サンプルがあったが、全ての包装袋サンプルにおいて、再封操作となる複数回の係止部相互の引っ掛けが行なえ、引っ掛け易さが良好である点に変化はなかった。
・弱化線を直線２８ｍｍとした包装袋サンプルと同様に折り易く引っ掛け易いものであった。
【００８６】
（まとめ）
実験１の結果や実験２で得られた評価などから、弱化線を複数本にして折曲予定部を形成した場合、弱化線の間隔は０．２ｍｍ〜２．０ｍｍの範囲が好ましく、０．３ｍｍ〜１．０ｍｍの範囲がより好ましいものである。
また、レーザ照射による加工で弱化線を得る場合、シール薄板の正面シートと背面シートとの少なくとも何れか一方のシート側からレーザ照射加工を行なってもよいことが確認されており、特に折曲予定部が折り曲げられるときに山折りとなるシート薄板表面側からのレーザ照射加工により弱化線を設けることがより折り易くなることも確認された。
【符号の説明】
【００８７】
１…包装袋
２…正面シート
３…背面シート
４…収納部
７…一方の袋側部
８…他方の袋側部
９…シール部
１０…収納物注出路
１１…注出口形成予定部
１３…シール薄板
１４…折曲予定部
１６…折曲維持手段
１７、１８…係止部
２２…折曲補助部
２３…弱化線
２４、２５…折曲補助部の端部
２６…難破断部
Ｘ１…シート薄板表面でのレーザ照射加工の切削幅
Ｘ２…ヒートシール合わせ面側でのレーザ照射加工の切削幅
【図１】
0006413414.tif 000004
【図２】
0006413414.tif 000005
【図３】
0006413414.tif 000006